(57)【要約】【課題】児収容室内の温度及び湿度を強制的に低下させることができ、児収容室内の環境を円滑に制御できる保育器用換気装置を提供する。【解決手段】保育器用換気装置は、前記児収容室に接続されて該児収容室内の空気を取り出す排気部と、前記児収容室に接続されて該児収容室内に前記外気を取り込む給気部とを備え、前記排気部は、前記空気の排気口と、前記児収容室内に連通する排気側接続口とを備え、前記給気部は、前記外気の取入口と、前記児収容室内に連通する給気側接続口とを備え、前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられる。【選択図】      図１
2018191658.tif 000002
【特許請求の範囲】
【請求項１】
児収容室と該児収容室に連通する調和槽を通じて温度及び湿度が調和された空気を前記児収容室に循環させる空調装置とを有する保育器に装着される保育器用換気装置であって、
前記児収容室に接続されて該児収容室内の空気を取り出す排気部と、
前記児収容室に接続されて該児収容室内に外気を取り込む給気部とを備え、
前記排気部は、前記空気の排気口と、前記児収容室内に連通する排気側接続口とを備え、
前記給気部は、前記外気の取入口と、前記児収容室内に連通する給気側接続口とを備え、
前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられることを特徴とする保育器用換気装置。
【請求項２】
前記給気側接続口から前記児収容室と前記調和槽との連通口に向けて、前記外気の流れを案内する案内ダクトを有することを特徴とする請求項１に記載の保育器用換気装置。
【請求項３】
前記送風手段は、前記排気部と前記給気部との双方に設けられることを特徴とする請求項１又は２に記載の保育器用換気装置。
【請求項４】
児収容室と該児収容室に連通する調和槽を通じて温度及び湿度が調和された空気を前記児収容室に循環させる空調装置とを有する保育器であって、
前記児収容室に接続されて該児収容室内の空気を取り出す排気部と、
前記児収容室に接続されて該児収容室内に外気を取り込む吸気部とを備える保育器用換気装置を備え、
前記排気部は、前記空気の排気口と、前記児収容室内に連通する排気側接続口とを備え、
前記給気部は、前記外気の取入口と、前記児収容室内に連通する給気側接続口とを備え、
前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられることを特徴とする保育器。
【発明の詳細な説明】
【技術分野】
【０００１】
本発明は、児収容室内で児を保育できる保育器に取り付けられ、児収容室内の環境を制御するための保育器用換気装置及び保育器用換気装置を備える保育器に関する。
【背景技術】
【０００２】
閉鎖型の保育器では、児が収容される児収容室内に、温度及び湿度等が調整された空気を供給することにより、児収容室内を適切な環境に整えることが行われている。
【０００３】
例えば、特許文献１に記載の保育器では、児収容室に連通する調和槽を通じて温度及び湿度を調和させた空気を児収容室に循環させる空調装置が備えられている。この空調装置は、調和槽中の空気を移動させるファンと、調和槽中の空気を加熱するヒータと、調和槽中の空気に水蒸気を供給する加湿器とを備えており、調和槽に児収容室内からの空気と外気が取り入れられるとともに、この調和槽において加温・加湿された空気が調和槽から児収容室内へ供給されることで、児収容室に対して調温及び調湿した空気を循環させる構成とされる。
【先行技術文献】
【特許文献】
【０００４】
【特許文献１】特開２０１４‐４１５７号公報
【発明の概要】
【発明が解決しようとする課題】
【０００５】
このように、空調装置が備えられた保育器では、外気を取り込み、その外気を加温・加湿することで、児収容室内の空気を設定された温度及び湿度に維持する構成とされている。
【０００６】
ところが、例えば、児の治療のために自発呼吸を補助するためのＣＰＡＰ法（Ｃｏｎｔｉｎｕｏｕｓ  Ｐｏｓｉｔｉｖｅ  Ａｉｒｗａｙ  Ｐｒｅｓｓｕｒｅ）やハイフロー療法等の呼吸補助機器が児収容室内の児に対して使用される場合、空調装置以外で加温・加湿された空気が児収容室内に供給されることで、児収容室内の温度及び湿度が設定された限度を超えて上昇するおそれがある。また、収容室内の児に、昼夜の明暗サイクルを与えて日周リズムの発達を促したり、光と音を遮ることで睡眠状態の改善を促したりする等の理由により、児収容室にカバーが被せられることがあるが、カバーにより放熱性が妨げられることで児収容室内の保温性が上がり、児収容室内の温度が上昇するおそれがある。
【０００７】
このような場合には、空調装置のヒータや加湿器を停止する等して、児収容室内の温度及び湿度の上昇を抑制することが考えられるが、加熱された状態のヒータ等による加温・加湿は直ちに停止されない。また、空調装置のヒータや加湿器を停止した状態で放置しても、児収容室内の温度及び湿度を、外部（外気）の温度及び湿度まで低下させるのに時間がかかる。このため、児収容室内の温度及び湿度の上昇を抑制することができず、児の体温維持が不安定になるおそれがある。
また、児収容室の温度及び湿度を、強制的に外部の温度及び湿度まで低下させることについての要望も増えている。
【０００８】
本発明は、このような事情に鑑みてなされたもので、児収容室内の温度及び湿度を強制的に低下させることができ、児収容室内の環境を円滑に制御できる保育器用換気装置及び保育器用換気装置を備える保育器を提供することを目的とする。
【課題を解決するための手段】
【０００９】
本発明は、児収容室と該児収容室に連通する調和槽を通じて温度及び湿度が調和された空気を前記児収容室に循環させる空調装置とを有する保育器に装着される保育器用換気装置であって、前記児収容室に接続されて該児収容室内の空気を取り出す排気部と、前記児収容室に接続されて該児収容室内に外気を取り込む給気部とを備え、前記排気部は、前記空気の排気口と、前記児収容室内に連通する排気側接続口とを備え、前記給気部は、前記外気の取入口と、前記児収容室内に連通する給気側接続口とを備え、前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられる。
【００１０】
空調装置が備えられた保育器は、外気を取り込み、その外気を加温・加湿することで、児収容室内の空気を設定された温度及び湿度に維持する構成とされており、外部（外気）よりも児収容室内の空気の温度が高く、児収容室は陽圧となっている。このため、空調装置において調和槽中のファンの回転数を上げて空気の移動量を増加させても、児収容室内と調和槽との間で空気の大部分がそのまま循環し、調和槽に新たな外気が取り込まれにくい。
【００１１】
そこで、このように構成される保育器において、本発明の保育器用換気装置を取り付けることで、保育器用換気装置の送風手段により、児収容室内の空気を積極的に取り出し、又は、外気を取り入れることにより、空気と外気を入れ替えることができる。これにより、児収容室内の温度及び湿度を強制的に低下させることが可能となり、空調装置と保育器用換気装置とにより、児収容室内の温度及び湿度（環境）を円滑に制御できる。
【００１２】
本発明の保育器用換気装置は、前記給気側接続口から前記児収容室と前記調和槽との連通口に向けて、前記外気の流れを案内する案内ダクトを有するとよい。
【００１３】
案内ダクトを設けることで、新たに取り入れる外気を児収容室と調和槽との連通口に誘導でき、児収容室と空調装置の調和槽との間で循環している空気の流れに、新たに取り入れた外気を乗せることができる。これにより、循環している空気と新たに取り入れた外気とを調和槽内で混合でき、また調和槽内で温度及び湿度が調整された空気を、児収容室内に供給できる。したがって、児収容室内の環境を部分的な温度ムラ等を生じさせることなく均一化でき、児収容室内の温度及び湿度を一様に調整できる。
【００１４】
本発明の保育器用換気装置において、前記送風手段は、前記排気部と前記給気部との双方に設けられるとよい。
【００１５】
少なくとも排気部と給気部のいずれかに送風手段を設けておくことにより、児収容室内の空気を外気と入れ替えて換気することができるが、排気部と給気部との双方に送風手段を設けておくことで、排気部による児収容室内の空気の排気量と、給気部による外気の給気量とを、厳密に管理できる。したがって、児収容室内の温度及び湿度を正確に制御できる。
【００１６】
本発明は、児収容室と該児収容室に連通する調和槽を通じて温度及び湿度が調和された空気を前記児収容室に循環させる空調装置とを有する保育器であって、前記児収容室に接続されて該児収容室内の空気を取り出す排気部と、前記児収容室に接続されて該児収容室内に外気を取り込む吸気部とを備える保育器用換気装置を備え、前記排気部は、前記空気の排気口と、前記児収容室内に連通する排気側接続口とを備え、前記給気部は、前記外気の取入口と、前記児収容室内に連通する給気側接続口とを備え、前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられる。
【発明の効果】
【００１７】
本発明によれば、児収容室内の空気を外部に取り出すことで、外気を積極的に取り入れることができるので、児収容室内の空気を外気と入れ替えて、児収容室内の温度及び湿度を低下させることができ、児収容室内の環境を円滑に制御できる。
【図面の簡単な説明】
【００１８】
【図１】本発明の実施形態の保育器用換気装置の外観斜視図である。
【図２】図１に示す保育器の排気部及び給気部の児収容室との接続を接続する斜視図である。
【図３】図１に示す保育器の上面図である。
【図４】図３に示すＡ−Ａ線に沿う断面図である。
【図５】固定具の取付部付近の要部拡大図である。
【図６】本発明の実施形態の保育器用換気装置が装着された保育器であって、後方側から見た外観斜視図である。
【図７】図６に示す保育器から保育器用換気装置を外した状態を示す斜視図である。
【図８】天面フード部と左側の処置扉と臥床台を取り外した状態の保育器の斜視図である。
【図９】図８に示す保育器の上面図である。
【図１０】図９に示すＢ−Ｂ線に沿う保育器の基台部分の断面図である。
【図１１】児収容室の下部に配置された臥床台を取り出し、床板を露出させた状態の保育器を示す斜視図である。
【図１２】床板を取り外し、調和槽および空調装置を露出させた状態の保育器を示す斜視図である。
【図１３】保育器の内部構造を表す模式図であり、児収容室および調和槽における空気と外気の流れを説明するものである。
【図１４】図９に示すＣ−Ｃ線に沿う保育器の給気側ダクト部材付近の要部断面図である。
【図１５】保育器用換気装置が装着された保育器の内部構造を表す模式図であり、児収容室および調和槽における空気と外気の流れを説明するものである。
【発明を実施するための形態】
【００１９】
以下、本発明の保育器用換気装置及び保育器用換気装置を備える保育器の実施形態について、図面を参照して説明する。本実施形態の保育器用換気装置１０１は、図６に示されるように、内部に児を収容可能な児収容室（エンクロージャ）５２を有する保育器５０１に装着された状態で、使用される。
【００２０】
［保育器の構成］
まず、保育器用換気装置１０１が装着される保育器５０１について説明する。保育器５０１は、図６〜図９に全体を示したように、基台５１と、この基台５１上にほぼ直方体形状に構成された児収容室５２とを備えている。また、図６〜図９に示す保育器５０１においては、キャスター６１により移動自在な架台６２と、架台６２の上に垂直に立設された支柱６３（図８参照）と、支柱６３の上端に設けられたフレーム６４とを備えており、基台５１は、フレーム６４上に設けられている。また、フレーム６４の一端部には、児収容室５２の側方位置に垂直に設けられた２本のガイド柱６５，６６が備えられており、ガイド柱６５，６６のうちの一方のガイド柱６５に児収容室５２の天面フード部７３が昇降移動可能に支持され、他方のガイド柱６６に加熱器６７が昇降移動可能に支持されている。
【００２１】
児収容室５２は、児を寝かせるための臥床台５３が設置される床板７１と、床板７１の上に形成される児収容空間５４の外周囲を包囲し得るように立設された周囲枠部７２と、この周囲枠部７２の上部開口を選択的に覆うことができる天面フード部７３とを備えている。また、周囲枠部７２は、児の足側に配置される前壁部７４と、児の頭側に配置される後壁部７５と、児の左右側に配置される処置扉７６，７７とを備えている。そして、児収容室５２を構成する床板７１、周囲枠部７２の各部位７４〜７７及び天面フード部７３のそれぞれの間にはシーリング部材（図示略）が配置されており、これにより、児収容室５２の内部の児収容空間５４が外気から遮断されるようになっている。なお、図８及び図９では、児収容室５２の児収容空間５４が見えるように、天面フード部７３と、左側の処置扉７６と、臥床台５３とを取り外した状態を示している。
【００２２】
また、児収容室５２を構成する周囲枠部７２と天面フード部７３は、ほぼ全体が透明樹脂によって形成されており、児収容室５２内に収容された児を外部から目視確認できるようになっている。
【００２３】
また、周囲枠部７２の前壁部７４と後壁部７５には、ケーブルやチューブ等を挿通させるためのスリットを有するゴム製のグロメット部材５５が取り付けられるグロメット装着部７８が設けられている。前壁部７４には、図８に示すように、グロメット装着部７８が、左側に上下１個ずつ、右側に上下１個ずつの合計４個設けられている。また、後壁部７５にも、グロメット装着部７８が、左側に上下１個ずつ、右側に上下１個ずつの合計４個設けられている。
【００２４】
なお、図６及び図７には、天面フード部７３を下降させて児収容室５２を閉じた状態の閉鎖型保育器の状態の保育器５０１を示したが、この保育器５０１においては、天面フード部７３を上昇させて児収容室５２の上方を開放したり、さらに周囲枠部７２の前壁部７４と左右の処置扉７６，７７を個別に開放したりすることができる。そして、これらを開放することにより、児に対する診察、処置などを任意の方向から行えるようになっている。なお、天面フード部７３等を開放した場合は、加熱器６７を用いることにより、児収容室５２内を加熱できる。
【００２５】
また、周囲枠部７２の前壁部７４と左右の処置扉７６，７７には、手入れ窓５６と、この手入れ窓５６を開閉するための開閉扉５７が配設されている。したがって、操作者は、各手入れ窓５６を通じて児収容室５２の内部に手を挿入し、前壁部７４及び各処置扉７６，７７を閉鎖したまま児の処置を行うこともできる。
【００２６】
図１０に、図９のＢ−Ｂ線に沿う保育器５０１の基台５１部分の断面図を示す。また、この図１０に示されるように、児収容室５２の下部の基台５１の内部には、空調装置８１が備えられている。空調装置８１は、児収容室５２に連通する調和槽８２と、調和槽８２中の空気を移動させる空気循環用送風手段８３と、調和槽８２中の空気を加熱するヒータ８６と、調和槽８２中の空気に水蒸気を供給する加湿器８７とを備えており、調和槽８２を通じて、温度および湿度が調和された空気が児収容室５２に循環されるようになっている。空気循環用送風手段８３は、例えば、ファン８４及びモータ８５を備える遠心送風機により構成される。なお、児収容室５２内の温度は、後壁部７５の上部に取り付けられた温度センサ５８により計測される。
【００２７】
図１０に示すように、児収容室５２と空調装置８１とは床板７１により隔てられており、調和槽８２は、床板７１と、この床板７１の下に配置された調和槽底板８８との間に形成されている。図１１に、臥床台５３及び周囲枠部７２を取り外して床板７１を露出させた状態を示す。また、図１２に、床板７１を取り外して調和槽底板８８を露出させた状態を示す。
【００２８】
図１０及び図１１に示すように、調和槽８２には、床板７１の後方寄りに設けられる後方開口部９１を通じて、児収容室５２からの空気（一点鎖線矢印Ａ１）が取り入れられるようになっている。また、図１０及び図１２に示すように、調和槽底板８８の後方寄りには、外気取入口９２が設けられており、この外気取入口９２を介して、調和槽８２内に外気（破線矢印Ａ２）が取り入れられるようになっている。なお、外気取入口９２には、フィルタ（図示略）により浄化された外気が取り入れられる。そして、この調和槽８２において調温・調湿された空気（実線矢印Ａ３）が、図１１に示すように、床板７１の両側部（左右側部）に設けられた側方開口部９３を通じて調和槽８２から児収容室５２内へ供給されるようになっている。
【００２９】
また、図１０及び図１２に示すように、基台５１の下部に配置された調和槽底板８８には、床板７１の下面との間に空間を形成するように設けられた第１凹部８９Ａと、この第１凹部８９Ａの底面からさらに陥没して空気循環用送風手段８３のファン８４を収容する略円筒状の第２凹部８９Ｂと、この第２凹部８９Ｂに連続して保育器５０１（床板７１）の長手方向に沿って形成され、ヒータ８６を収容する略矩形体状の第３凹部８９Ｃとが設けられている。また、調和槽底板８８の第２凹部８９Ｂ近傍に、前述した外気取入口９２が設けられている。さらに、調和槽底板８８の第３凹部８９Ｃの前方（下流側）には、加湿器８７に接続される水蒸気導入口９４が、略上下方向に貫通して設けられている。
【００３０】
図１３に、児収容室５２および調和槽８２における空気と外気の流れを示した保育器５０１の模式図を示す。この図１３に示されるように、調和槽底板８８と床板７１との間に形成される調和槽８２において、空気循環用送風手段８３によって吸引された児収容室５２内の空気（一点鎖線矢印Ａ１）と外気取入口９２からの外気（破線矢印Ａ２）は、第１凹部８９Ａを通じて第２凹部８９Ｂに導入され、混合される。そして、この混合された空気（実線矢印Ａ３）は、第３凹部８９Ｃに流れ込んでヒータ８６によって加熱され、さらに水蒸気導入口９４を通じて加湿器８７から供給される水蒸気によって加湿された後、第１凹部８９Ａを通じて児収容室５２の側方側の床板７１と調和槽底板８８との間に開口する側方開口部９３から児収容室５２内へ供給される。
【００３１】
このような空調装置８１を備える保育器５０１では、児収容室５２と調和槽８２との間で空気を循環させるとともに、外気取入口９２から外気を取り込み、この外気が取り込まれた空気を加温・加熱することで、児収容室５２内の空気を設定された温度及び湿度に維持する構成とされている。このため、外部（外気）よりも児収容室５２内の空気の温度が高く、児収容室５２の空気は陽圧となっている。
【００３２】
［保育器用換気装置の構成］
次に、本実施形態の保育器用換気装置１０１について説明する。保育器用換気装置１０１は、図１〜図４に示されるように、児収容室５２に接続されて児収容室５２内の空気を取り出す排気部１０と、児収容室５２に接続されて児収容室５２内に外気を取り込む給気部２０と、これら排気部１０と給気部２０とを一体に連結した筐体部３０とを備える。
【００３３】
保育器用換気装置１０１では、筐体部３０は、図１〜図４に示すように、全体として円筒状に形成されている。そして、排気部１０と給気部２０とが筐体部３０の左右に離れて配設されており、これらの排気部１０と給気部２０との間に、電源スイッチ３２や電源供給のためのプラグ受け部３３等を備える操作部３１、ハンドル部３４等が配設されている。
【００３４】
排気部１０は、図１〜図４に示すように、空気の排気口１１と、児収容室５２内に連通する排気側接続口１２と、排気側接続口１２から排気口１１に向けて空気の流れを形成する排気側送風手段１３とを備えている。また、図２に示すように、排気側接続口１２は児収容室５２の周囲枠部７２の後壁部７５に接続される。この場合、排気側接続口１２は、図６及び図８に示すように、後壁部７５の右下部に配設されたグロメット装着部７８を利用して取り付けられ、児収容室５２内に連通している。具体的には、後壁部７５の右下部のグロメット装着部７８に予め取り付けられているグロメット部材を、通気孔１６ａを有する排気側ダクト部材１６に交換し、この排気側ダクト部材１６に排気部１０の排気側接続口１２を接続することで、排気側ダクト部材１６の通気孔１６ａを介して児収容室５２と排気側接続口１２とを連通させている。
【００３５】
また、排気側ダクト部材１６には、図２及び図８に示すように、児収容室５２の後壁部７５から排気部１０の排気接続口１２に向けて、空気の流れを案内する案内ダクト１７が設けられている。案内ダクト１７は、図２及び図８に示すように、後壁部７５の内面に沿って下方に延びて形成されており、下端（先端）が後方開口部９１（図２では図示略）に向けて曲がって形成されている。前述したように、児収容室５２内の空気は、後方開口部９１を通じて調和槽８２に取り込まれ、児収容室５２と調和槽８２との間で循環させられるようになっているが、案内ダクト１７の下端が後方開口部９１に向けて配置されているので、後方開口部９１を通じて児収容室５２から調和槽８２に取り込まれる直前の児収容室５２内の空気を、案内ダクト１７から排気側接続口１２、排気口１１を通じて積極的に外部に取り出せるようになっている。
一方、排気部１０の排気口１１は、児収容室５２の外部に露出して設けられている。また、排気側送風手段１３は、排気側接続口１２と排気口１１との間に配設されている。
【００３６】
給気部２０は、図１〜図４に示すように、外気の取入口２１と、児収容室５２内に連通する給気側接続口２２と、取入口２１と給気側接続口２２との間に配設されたろ過用フィルタ２５と、取入口２１から給気側接続口２２に向けて外気の流れを形成する給気側送風手段２３とを備えている。また、図２に示すように、給気側接続口２２は児収容室５２の周囲枠部７２の後壁部７５に接続されている。図８に示すように、給気側接続口２２も、排気側接続口１２と同様に、後壁部７５のグロメット装着部７８を利用して取り付けられるが、給気側接続口２２は、排気側接続口１２の排気側ダクト部材１６が装着されるグロメット装着部７８とは反対側の後壁部７５の左下部に配設されたグロメット装着部７８に接続される。具体的には、後壁部７５の左下部に予め装着されていたグロメット部材を、通気孔２６ａを有する給気側ダクト部材２６に交換し、給気側ダクト部材２６に給気部２０の給気側接続口２２を接続することで、給気側ダクト部材２６の通気孔２６ａを介して児収容室５２と給気側接続口２２とを連通させている。
【００３７】
また、給気側ダクト部材２６には、図８及び図１４に示すように、給気部２０の給気側接続口２２から床板７１の後方開口部９１に向けて、外気の流れを案内する案内ダクト２７が設けられている。案内ダクト２７は、図２及び図８に示すように、後壁部７５の内面に沿って下方に延びて形成されており、下端（先端）が後方開口部９１（図２では図示略）に向けて曲がって形成されている。この案内ダクト２７により、給気部２０を通じて児収容室５２内に供給される外気が、児収容室５２の下方に配設された後方開口部９１（児収容室５２と調和槽８２との連通口）に誘導されるようになっている。
【００３８】
また、前述したように、排気側接続口１２に接続された案内ダクト１７も、給気側接続口２２に接続された案内ダクト２７と同様に、後壁部７５の内面に沿って下方に延びて形成されている（図１４では図示省略）。具体的には、案内ダクト１７は、臥床台５３よりも下側まで延びて形成されている。これにより、排気部１０は、臥床台５３の上側の空気ではなく、臥床台５３よりも下側の空気を排出する。その結果、ヒータ８６によって暖められた空気が臥床台５３上に届いた後に空気が排出されるため、排気が臥床台５３上の温度分布に与える影響を抑えることができる。
【００３９】
前述したように、排気側ダクト部材１６は後壁部７５の右側（図１では左側）に配設されるのに対し、給気側ダクト部材２６は後壁部７５の左側（図１では右側）に配設され、案内ダクト２７の児収容室５２内の開口部が排気側ダクト部材１６の案内ダクト１７の児収容室５２内の開口部から離れて配置されていることから、給気側接続口２２から児収容室５２内に供給された外気が排気側接続口１２から排出されることを防止できる。したがって、給気部２０から児収容室５２内へ外気を円滑に供給できるとともに、排気部１０から児収容室５２内の空気を円滑に排出できる。
【００４０】
一方、給気部２０の取入口２１は、児収容室５２の外部に露出して設けられている。そして、給気側送風手段２３は、図４の断面図に示すように、給気側接続口２２と取入口２１との間に配設されるとともに、ろ過用フィルタ２５よりも下流側で、ろ過用フィルタ２５と給気側接続口２２との間に配設されている。
【００４１】
図１及び図２に示すように、給気部２０の取入口２１は、排気部１０の排気口１１とは略９０°異なる方向に向けて開口して設けられている。これにより、排気口１１から排出された空気が、取入口２１から取り込まれることを防止できる。したがって、取入口２１から児収容室５２内に、外気を円滑に供給できる。
【００４２】
なお、ろ過用フィルタ２５は、本実施形態の保育器用換気装置１０１のように、取入口２１と給気側送風手段２３との間に設けても良いし、下流側の給気側送風手段２３と給気側接続口２２との間に設けてもよい。いずれの場合においても、給気部２０を流れる外気は、ろ過用フィルタ２５で浄化された後に、児収容室５２内に供給されるようになっている。したがって、児収容室５２内の衛生状態を良好に確保できる。
【００４３】
また、前述したように、本実施形態の保育器用換気装置１０１では、排気側送風手段１３と給気側送風手段２３との２つの送風手段１３，２３が設けられている。各送風手段１３，２３は、例えば、ファン１４及びモータ１５を備える遠心送風機により構成され、それぞれの送風手段１３，２３により空気流が生成されることで、排気側接続口１２から排気口１１に向けて空気の流れが形成されるとともに、取入口２１から給気側接続口２２に向けて外気の流れが形成され、児収容室５２内の空気を外気と入れ替えて換気できる。
【００４４】
なお、送風手段は、少なくとも排気部１０と給気部２０のいずれかに設けておくことにより、児収容室５２内の空気を外気と入れ替えて換気できる。本実施形態の保育器用換気装置１０１のように、排気部１０と給気部２０との双方に送風手段１３，２３を設けておくことで、排気部１０による児収容室５２内の空気の排気量と、給気部２０による外気の給気量とを、厳密に管理できる。また、各送風手段１３，２３は独立して制御されており、これらのうちの一方の送風手段が故障した場合にも、他の送風手段より、空気の排気及び外気の供給を続けることができる。
【００４５】
なお、本実施形態の保育器用換気装置１０１には、図６に示すように、保育器５０１のガイド柱６６に着脱可能に設けられる固定具４０が取り付けられており、固定具４０を介して保育器用換気装置１０１を保育器５０１を装着することで、保育器用換気装置１０１を保育器５０１に安定して装着できるようになっている。
【００４６】
保育器５０１のガイド柱６６は、図６及び図７に示すように、長さ方向（上下方向）に沿ってほぼ均一な押出部材により構成されている。そして、このガイド柱６６の後側の側面には、長さ方向に延在する案内溝６６ａが設けられており、この案内溝６６ａに固定具４０を固定することで、保育器用換気装置１０１が保育器５０１に装着されるようになっている。
【００４７】
ガイド柱６６の案内溝６６ａは、図５に示すように、開口部の幅が内部空間の幅よりも狭く形成されており、その開口部の長さ方向に沿って一対の凸条部６６ｂ，６６ｂが形成されている。なお、案内溝６６ａは、ガイド柱６６の後側の側面以外の側面にも設けられていてよい。図６及び図７に示すように、保育器５０１のガイド柱６６には、案内溝６６ａが左側の側面にも設けられている。
【００４８】
固定具４０は、図１に示されるように、アーム部４１と、アーム部４１の先端部に回動可能に設けられた台座部４２と、アーム部４１の基端部に回動可能に設けられた取付部４３とを備えている。そして、この台座部４２に保育器用換気装置１０１を固定することで、台座部４２と保育器用換気装置１０１とが一体に設けられるようになっている。また、取付部４３は、図５に示すように、第１鉤部４４ａを有する固定部材４４と、第２鉤部４５ａを有する可動部材４５と、可動部材４５を固定部材４４に回動可能に支持する軸部４６とを備えており、第１鉤部４４ａと第２鉤部４５ａとは、互いに逆向きに開口した凹部４４ｂ，４５ｂを有する形状とされる。また、固定具４０の固定部材４４には、摘み部４７がねじ込み及びねじ戻し可能に取り付けられており、この摘み部４７をねじ込み及びねじ戻しによって進退移動させることにより、可動部材４５が軸部４６を回動支点として、図５における時計方向及び反時計方向にそれぞれ回動するように構成されている。
【００４９】
したがって、図５に示す状態において摘み部４７をねじ戻すことで、第１鉤部４４ａと第２鉤部４５ａとの間隔を狭くできるので、ガイド柱６６の案内溝６６ａの幅狭の開口部から幅広の内部空間に第１鉤部４４ａと第２鉤部４５ａとを挿入できる。そして、その挿入状態において摘み部４７をねじ込むことで、第１鉤部４４ａと第２鉤部４５ａとの間隔を広げることができ、案内溝６６ａの一対の凸条部６６ｂ，６６ｂに第１鉤部４４ａと第２鉤部４５ａの凹部４４ｂ，４５ｂを圧接させて、噛み合わせることができる。これにより、固定具４０をガイド柱６６に固定でき、保育器用換気装置１０１を保育器５０１に装着できる。
【００５０】
一方、固定具４０をガイド柱６６から取り外すときには、摘み部４７をねじ戻すことで、第１鉤部４４ａと第２鉤部４５ａとの間隔を狭めることができ、第１鉤部４４Ａａと第２鉤部４５ａの凹部４４ｂ，４５ｂを案内溝６６ａの一対の凸条部６６ｂ，６６ｂから容易に離脱させることができる。
【００５１】
なお、固定具４０は、上記の構成のものに限定されるものではなく、その他の構成を採用して、保育器５０１に保育器用換気装置１０１を装着してもよい。
【００５２】
［保育器用換気装置の動作］
次に、保育器５０１に装着された保育器用換気装置１０１の動作について説明する。
図６に示すように、保育器用換気装置１０１が装着された保育器５０１において、保育器用換気装置１０１を停止した状態では、保育器５０１の空調装置８１のみによって、児収容室５２内の環境が制御される。すなわち、図１３に示すように、空調装置８１により、児収容室５２と調和槽８２との間で空気が循環されるとともに、外気取入口９２から外気を取り込み、この外気が取り込まれた空気を加温・加湿することで、児収容室５２内の空気を設定された温度及び湿度に維持している。
【００５３】
このため、保育器５０１では、児収容室５２内の温度及び湿度を下げる場合には、空調装置８１のヒータ８６や加湿器８７の動作を停止することや、調和槽８２中の空気循環用送風手段８３（ファン８４）の回転数を上げて、空気の移動量を増加させることが考えられる。しかし、加熱された状態のヒータ８６等による加温・加湿は直ちに停止されない。また、外部（外気）よりも児収容室５２内の空気の温度が高く、児収容室５２の空気は陽圧となっていることから、空気の移動量を増加させても児収容室５２と調和槽８２との間で空気の大部分がそのまま循環し、外気取入口９２から調和槽８２には新たな外気が取り込まれにくくなっている。このため、児収容室５２内の温度及び湿度を低下させるのに時間がかかる。
【００５４】
このような状況において、保育器用換気装置１０１を運転させることで、児収容室５２内の温度及び湿度を速やかに低下させることができ、空調装置８１と保育器用換気装置１０１とにより児収容室５２内の環境を円滑に制御できる。図１５に、保育器用換気装置１０１を運転させたときの児収容室５２および調和槽８２における空気と外気の流れを示した保育器５０１の模式図を示す。
【００５５】
保育器用換気装置１０１の電源スイッチ３２を入れて運転を開始させると、図１５に示すように、排気部１０と給気部２０とに配設されたそれぞれの送風手段１３，２３により空気流が生成される。すなわち、排気部１０においては、排気側送風手段１３により排気側接続口１２から排気口１１に向けて空気の流れ（実線矢印Ｂ１）が形成される。また、給気部２０においては、給気側送風手段２３により取入口２１から給気側接続口２２に向けて外気の流れ（破線矢印Ｂ２）が形成される。これにより、児収容室５２内の空気を排気部１０を通じて積極的に取り出し、又は、外気を給気部２０を通じて児収容室５２内に積極的に取り入れることができる。したがって、児収容室５２内の加温・加湿された空気を、その児収容室５２内の空気よりも低温で乾燥した外気と入れ替えることができ、児収容室５２と調和槽８２との間を循環する空気の温度及び湿度を強制的に低下させることができる。
【００５６】
また、図２及び図８に示すように、保育器用換気装置１０１においては、給気部２０から供給される外気を、児収容室５２と調和槽８２との連通口である後方開口部９１に向けて案内する案内ダクト２７を設けており、この案内ダクト２７により、給気部２０から新たに取り入れられる外気が後方開口部９１に誘導されるようになっている。また、案内ダクト２７で誘導される外気の流れは、児収容室５２と調和槽８２との間で循環している空気の流れ（一点鎖線矢印Ａ１）に逆らわず、この空気の流れに沿った流れで供給されることから、児収容室５２と空調装置８１の調和槽８２との間で循環している空気の流れに、給気部２０を通じて新たに取り入れた外気を乗せることができる。これにより、循環している空気と新たに取り入れた外気とを調和槽８２内で混合でき、調和槽８２内で温度及び湿度が調整された空気（実線矢印Ａ３）を、児収容室５２内に供給できる。したがって、児収容室５２内の環境を、部分的な温度ムラ等を生じさせることなく均一化でき、児収容室５２内の温度及び湿度を一様に調整できる。
【００５７】
なお、保育器用換気装置１０１の電源スイッチ３２を切ることで、保育器用換気装置１０１の運転を停止することが可能である。
【００５８】
また、保育器用換気装置１０１では、排気部１０と給気部２０との双方に送風手段１３，２３を設けているので、排気部１０による児収容室５２内の空気の排気量と、給気部２０による外気の給気量とを、それぞれの送風手段１３，２３により厳密に管理できる。したがって、児収容室５２内の温度及び湿度を正確に制御できる。
【００５９】
このように、本実施形態の保育器用換気装置１０１を用いることで、児収容室５２の温度及び湿度を積極的に低下させることができるので、空気の加熱・加温が可能な空調装置８１と保育器用換気装置１０１とを併用することで、児収容室５２内の温度及び湿度を円滑に制御できる。したがって、ＣＰＡＰ法やハイフロー療法などの呼吸補助機器を児収容室５２内で使用する場合や、児収容室５２にカバーが被せられる場合等においても、児収容室５２内の温度及び湿度を適切に維持できる。
【００６０】
なお、本発明は前記実施形態の構成のものに限定されるものではなく、細部構成においては、本発明の趣旨を逸脱しない範囲において種々の変更を加えることが可能である。
例えば、上記実施形態の保育器用換気装置１０１では、排気部１０と給気部２０とを比較的長尺の経路により構成し、排気部１０においては排気口１１と排気側接続口１２とを離して配置し、給気部２０においては取入口２１と給気側接続口２２とを離して配置していたが、本発明の構成はこれに限定されるものではない。例えば、排気部１０及び給気部２０をファン１４の厚み程度の長さで形成する等、各経路の長さを短くすることも可能である。この場合、グロメット装着部７８や手入れ窓５６等の開口部にファン１４を取り付けて児収容室５２の換気を行ってもよい。反対に、各経路の長さを本実施形態の保育器用換気装置１０１における排気部１０及び給気部２０よりも長くすることも可能である。また、各経路の形状も、上記実施形態に限定されるものではなく、適宜自由に選択できる。
【００６１】
また、本実施形態の保育器５０１では、保育器用換気装置１０１を保育器５０１のガイド柱６６に固定具４０により着脱可能に設けていたが、保育器用換気装置は、必ずしも保育器に着脱可能に設ける必要はない。保育器用換気装置を保育器から取り外せないようにして保育器に固定（装着）した構成も本発明の範囲に含まれる。
また、本実施形態では、後壁部７５のグロメット装着部７８を利用して保育器用換気装置１０１の排気側接続口１２と給気側接続口２２とを児収容室５２に接続していたが、児収容室５２を構成する他の天面フード部７３や処置扉７６，７７等に、排気側接続口１２と給気側接続口２２とを接続する構成としてもよい。
【符号の説明】
【００６２】
１０  排気部
１１  排気口
１２  排気側接続口
１３  排気側送風手段
１４  ファン
１５  モータ
１６  排気側ダクト部材
１６ａ  通気孔
１７  案内ダクト
２０  給気部
２１  取入口
２２  給気側接続口
２３  給気側送風手段
２５  ろ過用フィルタ
２６  給気側ダクト部材
２６ａ  通気孔
２７  案内ダクト
３０  筐体部
３１  操作部
３２  電源スイッチ
３３  プラグ受け部
３４  ハンドル部
４０  固定具
４１  アーム部
４２  台座部
４３  取り付け部
４４  固定部材
４５  可動部材
４６  軸部
４７  摘み部
５１  基台
５２  児収容室
５３  臥床台
５４  児収容空間
５５  グロメット部材
５６  手入れ窓
５７  開閉扉
５８  温度センサ
６１  キャスター
６３  支柱
６４  フレーム
６５，６６  ガイド柱
６６ａ  案内溝
６６ｂ  凸条部
６７  加熱器
７１  床板
７２  周囲枠部
７３  天面フード部
７４  前壁部
７５  後壁部
７６，７７  処置扉
７８  グロメット装着部
８１  空調装置
８２  調和槽
８３  空気循環用送風手段
８４  ファン
８５  モータ
８６  ヒータ
８７  加湿器
８８  調和槽底板
８９Ａ  第１凹部
８９Ｂ  第２凹部
８９Ｃ  第３凹部
９１  後方開口部
９２  外気取入口
９３  側方開口部
９４  水蒸気導入口
１０１  保育器用換気装置
５０１  保育器
【図１】
2018191658.tif 000003
【図２】
2018191658.tif 000004
【図３】
2018191658.tif 000005
【図４】
2018191658.tif 000006
【図５】
2018191658.tif 000007
【図６】
2018191658.tif 000008
【図７】
2018191658.tif 000009
【図８】
2018191658.tif 000010
【図９】
2018191658.tif 000011
【図１０】
2018191658.tif 000012
【図１１】
2018191658.tif 000013
【図１２】
2018191658.tif 000014
【図１３】
2018191658.tif 000015
【図１４】
2018191658.tif 000016
【図１５】
2018191658.tif 000017
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
児収容室と、該児収容室の床板により隔たれており、連通口を介して前記児収容室と連通する調和槽を通じて温度及び湿度が調和された空気を前記児収容室に循環させる空調装置と、を有する保育器に装着可能な保育器用換気装置であって、
前記児収容室に接続されて該児収容室内の空気を取り出す排気部と、
前記児収容室に接続されて該児収容室内に外気を取り込む給気部とを備え、
前記排気部は、前記空気の排気口と、前記児収容室内に連通する排気側接続口とを備え、
前記給気部は、前記外気の取入口と、前記児収容室内に連通する給気側接続口とを備え、
前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられ、
前記排気側接続口及び前記給気側接続口が前記児収容室に接続された際に、前記給気側接続口から前記児収容室と前記調和槽との連通口に向けて、前記外気の流れを案内する案内部を有することを特徴とする保育器用換気装置。
【請求項２】
前記送風手段は、前記排気部と前記給気部との双方に設けられることを特徴とする請求項１に記載の保育器用換気装置。
【請求項３】
児収容室と該児収容室に連通する調和槽を通じて温度及び湿度が調和された空気を前記児収容室に循環させる空調装置とを有する保育器であって、
前記児収容室に接続されて該児収容室内の空気を取り出す排気部と、
前記児収容室に接続されて該児収容室内に外気を取り込む給気部とを備える保育器用換気装置を備え、
前記排気部は、前記空気の排気口と、前記児収容室内に連通する排気側接続口とを備え、
前記給気部は、前記外気の取入口と、前記児収容室内に連通する給気側接続口とを備え、
前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられることを特徴とする保育器。
【手続補正２】
【補正対象書類名】明細書
【補正対象項目名】０００９
【補正方法】変更
【補正の内容】
【０００９】
本発明は、児収容室と、該児収容室の床板により隔たれており、連通口を介して前記児収容室と連通する調和槽を通じて温度及び湿度が調和された空気を前記児収容室に循環させる空調装置と、を有する保育器に装着可能な保育器用換気装置であって、前記児収容室に接続されて該児収容室内の空気を取り出す排気部と、前記児収容室に接続されて該児収容室内に外気を取り込む給気部とを備え、前記排気部は、前記空気の排気口と、前記児収容室内に連通する排気側接続口とを備え、前記給気部は、前記外気の取入口と、前記児収容室内に連通する給気側接続口とを備え、前記排気部及び前記給気部の少なくとも一方に、前記排気側接続口から前記排気口に向けて前記空気の流れを形成するとともに、前記取入口から前記給気側接続口に向けて前記外気の流れを形成する送風手段が設けられ、前記排気側接続口及び前記給気側接続口が前記児収容室に接続された際に、前記給気側接続口から前記児収容室と前記調和槽との連通口に向けて、前記外気の流れを案内する案内部を有する。
【手続補正３】
【補正対象書類名】明細書
【補正対象項目名】００１１
【補正方法】変更
【補正の内容】
【００１１】
そこで、このように構成される保育器において、本発明の保育器用換気装置を取り付けることで、保育器用換気装置の送風手段により、児収容室内の空気を積極的に取り出し、又は、外気を取り入れることにより、空気と外気を入れ替えることができる。これにより、児収容室内の温度及び湿度を強制的に低下させることが可能となり、空調装置と保育器用換気装置とにより、児収容室内の温度及び湿度（環境）を円滑に制御できる。
また、案内部を設けることで、新たに取り入れる外気を児収容室と調和槽との連通口に誘導でき、児収容室と空調装置の調和槽との間で循環している空気の流れに、新たに取り入れた外気を乗せることができる。これにより、循環している空気と新たに取り入れた外気とを調和槽内で混合でき、また調和槽内で温度及び湿度が調整された空気を、児収容室内に供給できる。したがって、児収容室内の環境を部分的な温度ムラ等を生じさせることなく均一化でき、児収容室内の温度及び湿度を一様に調整できる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】